(57)【要約】【課題】情報処理装置の使用者に対して、どれほどの頻度でまた誰によって不正使用が試行されているかを知らしめ、情報処理装置のデータの盗難防止対策に役立てることを目的とする。【解決手段】１３で入力されたパスワードを１４で正しいパスワードと比較し、もし不正なパスワードであった場合は不正使用と判断し、１５、１６でそのときの日時とカメラによる画像を保存する。後に正規の使用者が起動しようとして正しいパスワード入力をすると１８で過去に不正使用の試みがあったかどうかを判断し、あったなら１９でその時の情報を表示する。このことにより正規の使用者はいつ誰によって不正使用の試みがあったかを知ることができる。【選択図】  図２
2004213401.tif 000002
【特許請求の範囲】
【請求項１】
入力された認証情報と登録済認証情報との照合による、情報処理装置の正規使用者であることの認証手順と、前記認証手順の結果不正規使用者だった場合、入力された前記認証情報を保存する手順とを有する情報処理装置の不正使用試行履歴記録方法。
【請求項２】
不正規使用者が入力した認証情報と共に、不正規使用者を示す特定情報を取得し、保存する手順を有する請求項１記載の情報処理装置の不正使用試行履歴記録方法。
【請求項３】
不正規使用者が入力した認証情報、または不正規使用者を示す特定情報を表示する手順を有する請求項１または請求項２記載の情報処理装置の不正使用試行履歴記録方法。
【請求項４】
入力された認証情報と登録済認証情報との照合による、情報処理装置の正規使用者であることの認証を行う認証部と、前記認証部による認証の結果、不正規使用者だった場合、入力された前記認証情報を保存する記憶部とを有する情報処理装置。
【請求項５】
認証情報を入力した不正規使用者を示す特定情報を取得する特定情報取得部をさらに有し、前記特定情報を記憶部に保存する請求項４記載の情報処理装置。
【請求項６】
不正規使用者が入力した認証情報、または不正規使用者を示す特定情報を表示する表示部を有する請求項４または請求項５記載の情報処理装置。
【発明の詳細な説明】
【０００１】
【発明の属する技術分野】
本発明はパーソナルコンピュータなどの情報処理装置の不正使用を防止するための不正使用試行履歴記録方法および情報処理装置に関するものである。
【０００２】
【従来の技術】
従来パーソナルコンピュータなどの情報処理装置は、内部の記憶装置に保存されているデータの盗難、破壊の防止のために情報処理装置の起動時に使用者にパスワードや指紋や虹彩の入力による照合を求め、不正規使用者には情報処理装置を起動できないようにしている（例えば特許文献１参照）。
【０００３】
【特許文献１】
特開２０００−２５９２７６号公報
【０００４】
【発明が解決しようとする課題】
このような従来の情報処理装置においては、不正規使用者による起動を防ぐことはできるが、正規使用者には不正規使用者による不正使用の試行があったことを知ることはできない。
【０００５】
このため、不正規使用者が何度も情報処理装置の起動を試みることまで防止することができなかった。
【０００６】
本発明は、情報処理装置の正規使用者に対して、その使用環境においてどれほどの頻度でまた誰によって不正使用が試行されているかを知らしめ、情報処理装置のデータの盗難防止対策に役立てることを目的とする。
【０００７】
【課題を解決するための手段】
この課題を解決するために本発明は、不正規使用者が不正使用しようとして間違ったパスワードや指紋、虹彩を入力すると、そのときの情報を取得し、記憶装置に保存し、次に正規使用者が起動した時に記録した情報を表示するようにしたものである。
【０００８】
これにより、不正使用の試行があったかどうか、および不正規使用者が誰であるかを知ることができ、同じ不正規使用者による次の試行を防ぐことができる。
【０００９】
【発明の実施の形態】
本発明の請求項１に記載の発明は、入力された認証情報と登録済認証情報との照合による、情報処理装置の正規使用者であることの認証手順と、前記認証手順の結果不正規使用者だった場合、入力された前記認証情報を保存する手順とを有する情報処理装置の不正使用試行履歴記録方法であり、不正使用者の不正使用があったことを記録するという作用を有する。
【００１０】
請求項２に記載の発明は、請求項１記載の情報処理装置の不正使用試行履歴記録方法において、不正規使用者が入力した認証情報と共に、不正規使用者を示す特定情報を取得し、保存する手順を有するものであり、不正規使用者が誰であるかを特定し記録するという作用を有する。
【００１１】
請求項３に記載の発明は、請求項１または請求項２記載の情報処理装置の不正使用試行履歴記録方法において、不正規使用者が入力した認証情報、または不正規使用者を示す特定情報を表示する手順を有するものであり、正規使用者に不正使用があったかどうか、および不正規使用者が誰であるかを知らしめるという作用を有する。
【００１２】
請求項４に記載の発明は、入力された認証情報と登録済認証情報との照合による、情報処理装置の正規使用者であることの認証を行う認証部と、前記認証部による認証の結果、不正規使用者だった場合、入力された前記認証情報を保存する記憶部とを有する情報処理装置であり、不正使用者の不正使用があったことを記録するという作用を有する。
【００１３】
請求項５に記載の発明は、請求項４記載の情報処理装置において、認証情報を入力した不正規使用者を示す特定情報を取得する特定情報取得部をさらに有し、前記特定情報を記憶部に保存するものであり、不正規使用者が誰であるかを特定し記録するという作用を有する。
【００１４】
請求項６に記載の発明は、請求項４または請求項５記載の情報処理装置において、不正規使用者が入力した認証情報、または不正規使用者を示す特定情報を表示する表示部を有するものであり、正規使用者に不正使用があったかどうか、および不正規使用者が誰であるかを知らしめるという作用を有する。
【００１５】
以下、本発明の実施の形態について、図１から図４を用いて説明する。
【００１６】
（実施の形態１）
図１は本発明の第１の実施の形態の情報処理装置の概略構成図を示し、図２は情報処理装置の処理動作のフローチャートを示している。図１において、１は情報処理装置であり、認証情報であるパスワード入力を促すメッセージや不正規使用試行情報を表示する表示装置２、情報処理装置１の制御をつかさどるＣＰＵ３、パスワードの処理ソフトおよび情報処理装置本体の起動ソフトなどのソフトウェア、および登録済パスワードを内蔵している不揮発性メモリであるＲＯＭ４、不正使用情報やカメラの画像を保存格納する記憶装置５、不正使用を試行している人物の画像データを取得するカメラ６、パスワード入力手段としての文字入力装置７から構成されている。
【００１７】
以上のように構成された本実施の形態の情報処理装置において、図２の処理動作を示すフローチャートに沿って動作を説明する。
【００１８】
まず、１１で使用者が情報処理装置１の電源をオンすると、ＲＯＭ４に格納されているソフトウェア処理が開始される。以降はこのソフトウェア制御で処理が進む。
【００１９】
次に１２で表示装置２に使用者にパスワード入力を促すメッセージが表示され、１３で使用者は文字入力装置７を用いてパスワードを入力する。
【００２０】
１４で入力されたパスワードと登録済パスワードとを照合し、入力されたパスワードが正しくなければ１５に進み、不正使用試行情報として例えば現在の年月日時間と入力された不正なパスワードを記憶装置５に保存する。
【００２１】
次に１６に進み、カメラによって不正使用者を撮影し、その画像も記憶装置５に保存する。そして１７で情報処理装置の電源をオフする。
【００２２】
１４でパスワードが正しければ１８に進み、記憶装置５の中に不正使用試行情報が存在しているかを判定する。
【００２３】
１８で記憶装置５の中に不正使用試行情報が存在すれば１９に進み、表示装置２に１５、１６で保存した情報を表示することにより正規使用者に不正使用が試みられたことを知らしめる。その後２０で通常起動処理を行なう。
【００２４】
１８で記憶装置５の中に不正使用試行情報が存在しなければ２０に進み通常起動処理を行なう。
【００２５】
このように、正規使用者が起動処理を行なう際に、不正使用試行情報とともに撮影された不正使用者の画像も表示されるため、正規使用者に不正使用があったかどうか、および不正規使用者が誰であるかを知らしめることができる。
【００２６】
なお、以上の説明では、不正使用が試みられた時、１５、１６で保存された情報は蓄積されていくが、正規使用者の判断で不必要になった情報は削除できる手順を設けてもよい。
【００２７】
（実施の形態２）
図３は本発明の第２の実施の形態の情報処理装置の概略構成図を示し、図４は情報処理装置の処理動作のフローチャートを示している。図３において、２１は情報処理装置であり、認証情報である指紋入力を促すメッセージや不正規使用試行情報を表示する表示装置２２、情報処理装置の制御をつかさどるＣＰＵ２３、指紋照合を処理するソフトおよび情報処理装置本体の起動ソフトなどのソフトウェア、および正規使用者の登録済指紋情報を内蔵している不揮発性メモリであるＲＯＭ２４、不正使用情報や指紋情報を保存格納する記憶装置２５、使用者の指紋情報を取得する指紋入力装置２６、文字情報の入力手段としての文字入力装置２７から構成されている。
【００２８】
以上のように構成された本実施の形態の情報処理装置において、図４の処理動作を示すフローチャートに沿って動作を説明する。
【００２９】
まず、３１で使用者が情報処理装置２１の電源をオンすると、ＲＯＭ２４に格納されているソフトウェア処理が開始される。以降はこのソフトウェアの制御によって処理が進む。
【００３０】
次に３２で表示装置２２に使用者に指紋入力を促すメッセージが表示され、３３で使用者は指紋入力装置２６を用いて指紋を入力する。
【００３１】
３４では３３で入力された指紋情報と登録された正規使用者の指紋情報を照合し一致しなければ３５に進み、不正使用試行情報として例えば現在の年月日時間を記憶装置２５に保存する。
【００３２】
次に３６では不正な使用者の指紋情報を記憶装置２５に保存する。そして３７で情報処理装置の電源をオフする。
【００３３】
３４で指紋情報が一致すれば３８に進み記憶装置２５の中に不正使用試行情報が存在しているかを判定する。
【００３４】
３８で記憶装置２５の中に不正使用試行情報が存在すれば３９に進み、表示装置２２に３５で保存した情報を表示することにより正規使用者に対して不正使用が試みられたことを知らしめる。その後４０で通常起動処理を行なう。
【００３５】
３８で記憶装置２５の中に不正使用試行情報が存在しなければ４０に進み通常起動処理を行なう。
【００３６】
３６で記憶装置２５に保存された不正使用者の指紋情報は起動後いつでも読み出せ、不正使用者の特定に使用できる。
【００３７】
このように、本実施の形態の情報処理装置も、前述の第１の実施の形態と同様、正規使用者が起動処理を行なう際に、不正使用試行情報とともに撮影された不正使用者の画像も表示されるため、正規使用者に不正使用があったかどうか、および不正規使用者が誰であるかを知らしめることができる。
【００３８】
なお、以上の説明では、不正使用が試みられた時、３５、３６で保存された情報は蓄積されていくが、正規使用者の判断で不必要になった情報は削除できる手順を設けてもよい。
【００３９】
また、これらの実施の形態では、認証情報として、パスワード入力と指紋情報とをあげたが、本発明はこれらに限定されるものではなく、例えば虹彩など認証可能なものであれば何でもよい。
【００４０】
【発明の効果】
以上のように本発明によれば、情報処理装置がいつ誰によって不正使用がされようとしたかという情報を知ることができ、データ盗難被害抑止の対策が容易になる。また、そのような機能を持つ情報処理装置の存在を周知せしめることにより不正使用を試みる者の犯罪動機を減少することができる、という有利な効果が得られる。
【図面の簡単な説明】
【図１】本発明の第１の実施の形態の情報処理装置の概略構成図
【図２】本発明の第１の実施の形態の処理動作を示すフローチャート
【図３】本発明の第２の実施の形態の情報処理装置の概略構成図
【図４】本発明の第２の実施の形態の処理動作を示すフローチャート
【符号の説明】
１  情報処理装置
２  表示装置
３  ＣＰＵ
４  ＲＯＭ
５  記憶装置
６  カメラ
７  文字入力装置
１１  電源スイッチオン処理
１２  パスワード入力要求処理
１３  パスワード入力動作
１４  入力されたパスワードと正しいパスワードとの比較処理
１５  不正使用試行情報の取得と保存処理
１６  不正使用試行時の映像の取得と保存処理
１７  電源オフ処理
１８  不正使用試行情報の存在判断処理
１９  不正使用試行情報の表示処理
２０  通常の起動処理
２１  情報処理装置
２２  表示装置
２３  ＣＰＵ
２４  ＲＯＭ
２５  記憶装置
２６  指紋入力装置
２７  文字入力装置
３１  電源スイッチオン処理
３２  指紋入力要求処理
３３  指紋入力動作
３４  入力された指紋情報と正しい指紋情報との比較処理
３５  不正使用試行情報の保存処理
３６  不正使用試行時の指紋情報の保存処理
３７  電源オフ処理
３８  不正使用試行情報の存在判断処理
３９  不正使用試行情報の表示処理
４０  通常の起動処理
【図１】
2004213401.tif 000003
【図２】
2004213401.tif 000004
【図３】
2004213401.tif 000005
【図４】
2004213401.tif 000006